(57)【要約】【課題】自動車の前後方向に沿って開口する開口部の前縁に沿って設けられるデフレクタ装置において、メッシュ素材を採用した場合の風切音を抑制する。【解決手段】デフレクタ装置１０は、可撓性のメッシュ素材を用いて通気可能に形成され、開口部４の前縁に沿って延在するように長尺形状に形成されたデフレクタ部材１１と、開口部４が閉じている場合には自動車１に格納され、開口部４が開いている場合には開口部４から外へ突出するように可動する支持部材と、を有する。デフレクタ部材１１は、開口部４から外へ突出する外縁部が支持部材に取り付けられることにより、開いた開口部４から外へ突出し、少なくとも、風圧により後へ撓んで湾曲する部分には、メッシュ素材より通気性が低い低通気部１５が形成される。【選択図】  図４
2019119335.tif 000002
【特許請求の範囲】
【請求項１】
車両の前後方向に沿って開口する開口部の前縁に沿って設けられるデフレクタ装置であって、
可撓性のメッシュ素材を用いて通気可能に形成され、前記開口部の前縁に沿って延在するように長尺形状に形成されたデフレクタ部材と、
前記開口部が閉じている場合には前記車両に格納され、前記開口部が開いている場合には前記開口部から外へ突出するように可動する支持部材と、
を有し、
前記デフレクタ部材は、
前記開口部から外へ突出する外縁部が前記支持部材に取り付けられることにより、開いた前記開口部から外へ突出し、
少なくとも、風圧により後へ撓んで湾曲する部分には、前記メッシュ素材より通気性が低い低通気部が形成される、
車両のデフレクタ装置。
【請求項２】
前記低通気部は、前記車両の走行中に、閉じていた前記デフレクタ部材を開く最中において、風圧により後へ撓んで湾曲して形成される最後端部分において、前記開口部の前縁に沿って延在するように形成される、
請求項１記載の車両のデフレクタ装置。
【請求項３】
前記低通気部は、前記デフレクタ部材についての内外方向の中央部分において、前記開口部の前縁に沿って延在するように形成される、
請求項１記載の車両のデフレクタ装置。
【請求項４】
前記低通気部は、前記デフレクタ部材についての内外方向の中央部分から、前記デフレクタ部材の内側部分にかけて、前記開口部の前縁に沿って延在するように形成される、
請求項１記載の車両のデフレクタ装置。
【請求項５】
前記低通気部は、前記開口部の前縁に沿って延在するように長尺形状に形成された前記デフレクタ部材において、前記長尺方向の両端部分以外に形成される、
請求項１から４のいずれか一項記載の車両のデフレクタ装置。
【請求項６】
前記低通気部は、前記デフレクタ部材に用いる前記メッシュ素材より高密度のメッシュ状態に形成される、
請求項１から５のいずれか一項記載の車両のデフレクタ装置。
【請求項７】
前記開口部は、前記車両の天井部分に形成され、
前記開口部を閉じるサンルーフ部材は、前記天井部分の外側に後退する、
請求項１から６のいずれか一項記載の車両のデフレクタ装置。
【発明の詳細な説明】
【技術分野】
【０００１】
本発明は、自動車などの車両の開口部に対して設けられるデフレクタ装置に関する。
【背景技術】
【０００２】
特許文献１は、自動車の車室の天井部分に形成された開口部に対して、デフレクタ装置を設けた構成を開示する。
これにより、走行中に天井部分の上を通過する風が車室内へ入り込み難くなる。
【先行技術文献】
【特許文献】
【０００３】
【特許文献１】特表２００８−５０８１３８号公報
【発明の概要】
【発明が解決しようとする課題】
【０００４】
しかしながら、開口部の前縁に沿って、上へ突出させるように立てるデフレクタ部材として、特許文献１のようにメッシュ素材を用いると、風切音が発生してしまうことがある。
たとえば開口部の内側に折り畳んで格納していたデフレクタ部材を開いて立てる最中に、メッシュ素材によるデフレクタ部材は、上下方向の中央部分が、風圧により後へ撓んで湾曲する。これによりデフレクタ部材に吹き込んだ風は、風圧により撓んで湾曲した部分に集中し、湾曲した部分から後へ吹き出される風が強くなる。この強められた風が、開いた開口部の後縁などに当たると、風切音が発生することがある。
また、走行中においても、風圧の変化などにより、メッシュ素材によるデフレクタ部材が撓んで湾曲すると、同様の風切音が発生する可能性がある。
特に、開口部を閉じるサンルーフ部材を、天井部分の外側に後退させる場合、サンルーフ部材の前縁に風が当たり易くなるため、風切音の発生可能性が高くなる。
【０００５】
このように自動車といった車両では、車両の前後方向に沿って開口する開口部の前縁に沿って設けられるデフレクタ装置において、メッシュ素材を採用した場合の風切音を抑制することが求められている。
【課題を解決するための手段】
【０００６】
本発明に係る車両のデフレクタ装置は、車両の前後方向に沿って開口する開口部の前縁に沿って設けられるデフレクタ装置であって、可撓性のメッシュ素材を用いて通気可能に形成され、前記開口部の前縁に沿って延在するように長尺形状に形成されたデフレクタ部材と、前記開口部が閉じている場合には前記車両に格納され、前記開口部が開いている場合には前記開口部から外へ突出するように可動する支持部材と、を有し、前記デフレクタ部材は、前記開口部から外へ突出する外縁部が前記支持部材に取り付けられることにより、開いた前記開口部から外へ突出し、少なくとも、風圧により後へ撓んで湾曲する部分には、前記メッシュ素材より通気性が低い低通気部が形成される。
【０００７】
好適には、前記低通気部は、前記車両の走行中に、閉じていた前記デフレクタ部材を開く最中において、風圧により後へ撓んで湾曲して形成される最後端部分において、前記開口部の前縁に沿って延在するように形成される、とよい。
【０００８】
好適には、前記低通気部は、前記デフレクタ部材についての内外方向の中央部分において、前記開口部の前縁に沿って延在するように形成される、とよい。
【０００９】
好適には、前記低通気部は、前記デフレクタ部材についての内外方向の中央部分から、前記デフレクタ部材の内側部分にかけて、前記開口部の前縁に沿って延在するように形成される、とよい。
【００１０】
好適には、前記低通気部は、前記開口部の前縁に沿って延在するように長尺形状に形成された前記デフレクタ部材において、前記長尺方向の両端部分以外に形成される、とよい。
【００１１】
好適には、前記低通気部は、前記デフレクタ部材に用いる前記メッシュ素材より高密度のメッシュ状態に形成される、とよい。
【００１２】
好適には、前記開口部は、前記車両の天井部分に形成され、前記開口部を閉じるサンルーフ部材は、前記天井部分の外側に後退する、とよい。
【発明の効果】
【００１３】
本発明のデフレクタ部材は、開口部から外へ突出する外縁部が、開口部から外へ突出する支持部材に取り付けられる。したがって、デフレクタ部材は、開いた開口部から、開口部の前縁に沿って延在するように外へ突出する。その結果、開いた開口部の後縁や、その開口部を開くために後退したサンルーフ部材の前縁などに対して、走行中の風が強く当たらないようになる。走行中にこれらの部分に強い風が当たることによる風切音の発生などを効果的に抑制できる。
また、デフレクタ部材は、可撓性のメッシュ素材を用いて形成されているので、前記開口部が閉じている場合には、支持部材とともに車体に格納できる。
しかも、可撓性のメッシュ素材を用いて形成されたデフレクタ部材では、風圧により後へ撓むことが想定されるが、本発明では、撓んで湾曲する部分には、メッシュ素材より通気性が低い低通気部が形成されている。よって、デフレクタ部材は、可撓性のメッシュ素材を用いて形成されて、開口部から外へ突出した状態において上縁部が支持部材に取り付けられているだけであるにもかかわらず、風圧により後へ撓んで湾曲した部分から、デフレクタ部材に当たる風が集中して吹き出してしまうことが起き難くなる。
これに対して、デフレクタ部材についての、風圧により後へ撓んで湾曲する部分がその他の部分と同じメッシュ素材で形成されている場合、風圧により後へ撓んで湾曲した部分に、デフレクタ部材に当たる風が集中し、該湾曲部分から後へ強い風が吹き出す。そして、集中的に吹き出した強い風が、開いた開口部の後縁や、その開口部を開くために後退したサンルーフ部材の前縁などに当たると、風切音が発生する。本発明では、このような風切音の発生を効果的に抑制できる。
【図面の簡単な説明】
【００１４】
【図１】図１は、本発明のデフレクタ装置が適用される自動車の説明図である。
【図２】図２は、本発明の第１実施形態に係るデフレクタ装置の構成図である。
【図３】図３は、比較例に係るデフレクタ部材の説明図である。
【図４】図４は、第１実施形態に係るデフレクタ部材の説明図である。
【図５】図５は、第２実施形態に係るデフレクタ部材の説明図である。
【図６】図６は、第３実施形態に係るデフレクタ部材の説明図である。
【図７】図７は、第４実施形態に係るデフレクタ部材の説明図である。
【発明を実施するための形態】
【００１５】
以下、本発明の実施形態を、図面に基づいて説明する。
【００１６】
［第１実施形態］
図１は、本発明のデフレクタ装置１０が適用される自動車１の説明図である。
自動車１は、車両の一例である。
【００１７】
図１の自動車１は、車室２が形成された車体３を有する。
車体３についての車室２の天井部分には、開口部４が形成される。開口部４は、サンルーフ用のものであり、車体３の前後方向に沿って延在するように略四角形に開口する。
開口部４には、これに嵌まるサイズの略四角形状のサンルーフ部材５が配置される。サンルーフ部材５は、前方へスライド移動することで開口部４と嵌まり、開口部４を塞ぐ。また、サンルーフ部材５は、車室２の天井部分の外側、すなわち上側にスライド後退する。
また、開いた開口部４から車室２内へ走行中の風が入り難くなるように、略四角形の開口部４の前縁に沿ってデフレクタ装置１０が設けられる。
【００１８】
図２は、本発明の第１実施形態に係るデフレクタ装置１０の構成図である。図２には、デフレクタ装置１０およびその周辺の車体３の天井部分が図示されている。
図２のデフレクタ装置１０は、デフレクタ部材１１、左右の第一支持部材１２、左右の第二支持部材１３、左右の付勢部材１４、を有する。
【００１９】
デフレクタ部材１１は、たとえば樹脂繊維を編んで、可撓性のメッシュ素材を長尺の長方形形状に形成したものである。そして、長尺の長方形形状のデフレクタ部材１１の下縁は、開口部４の内側において前縁に沿って設けられ、車体３の天井部分に固定される。これにより、長尺の長方形形状のデフレクタ部材１１は、開口部４の前縁に沿って延在する。メッシュ素材は、通気可能である。
【００２０】
第一支持部材１２は、Ｉ型の金具である。第一支持部材１２の下端部は、開口部４の前縁から後側へずれた位置において、開口部４の内側面に回転可能に取り付けられる。第一支持部材１２の上端部には、長尺の長方形形状のデフレクタ部材１１の上角部分が取り付けられる。これにより、長尺の長方形形状のデフレクタ部材１１の両側の上角部分は、左右の第一支持部材１２に取り付けられる。左右の第一支持部材１２が、開口部４から外上へ突出するように立った状態では、長尺の長方形形状のデフレクタ部材１１は、開口部４の前縁から後上方へ向かって延在することができる。
【００２１】
第二支持部材１３は、開口部４の前後方向に沿って配置されるＩ型の金具である。第二支持部材１３の後端部は、第一支持部材１２より後側において、開口部４の内側面に回転可能に取り付けられる。第二支持部材１３の前端部は、第一支持部材１２の中央部分に回転可能に取り付けられる。左右の第二支持部材１３が後端部を中心として前端部を上げるように回転することにより、左右の第一支持部材１２は開口部４から外上へ突出するように従動する。
【００２２】
付勢部材１４は、たとえばスプリングである。付勢部材１４は、たとえば第二支持部材１３の中央部分と、開口部４の後縁部分との間に、伸びた状態で張り渡される。サンルーフ部材５が後退した状態では、付勢部材１４が縮もうとするテンションにより、第二支持部材１３が後端部を中心として前端部を上げるように回転し得る。
【００２３】
図２（Ａ）は、開口部４をサンルーフ部材５により閉じた状態である。第二支持部材１３は、開口部４を閉じているサンルーフ部材５により抑えられる。この場合、第一支持部材１２および第二支持部材１３は、閉じたサンルーフ部材５により押さえられ、開口部４に収まるように前後方向に延在する。可撓性のメッシュ素材からなるデフレクタ部材１１は、折り畳まれた状態で、開口部４に収容される。
【００２４】
図２（Ｂ）は、サンルーフ部材５を後側へスライド移動させて開口部４を開いた状態である。これにより、第一支持部材１２および第二支持部材１３は、サンルーフ部材５による押さえから解放され、可動可能な状態となる。
【００２５】
そして、図２（Ｃ）に示すようにサンルーフ部材５が後側へスライドし切ると、左右の付勢部材１４のテンションにより、第二支持部材１３が後端部を中心として前端部を上げるように回転し、第一支持部材１２が開口部４から外上へ突出するように立ち上がる。これにより、デフレクタ装置１０のデフレクタ部材１１は、付勢部材１４のテンションが作用した状態で、開口部４の前縁から後上方へ向かって延在するように立ち上がる。
このため、車体３の天井部分の上を通過する風は、開口部４から上へ突出したメッシュ状のデフレクタ部材１１に当たる。風の勢いは弱められる。その結果、デフレクタ部材１１の後側における風が弱くなる。開いた開口部４の後縁や、車体３の天井部分の上に後退したサンルーフ部材５の前縁に対して、強い風が当たらないようになる。また、走行中に天井部分の上を通過する風が、強いまま車室２内へ入り込み難くなる。
【００２６】
しかしながら、開口部４の前縁に沿って上へ突出させるように立てるデフレクタ部材１１として、可撓性のメッシュ素材を用いると、別の原因で風切音が発生してしまうことがある。
図３は、メッシュ素材をデフレクタ部材１１として使用した場合に生じ得る風切音の発生原因を説明するための、比較例に係るデフレクタ部材１１の説明図である。
図３（Ａ）の比較例のデフレクタ部材１１は、その全体がメッシュ素材により一定の密度の網目状に形成されている。
この場合、たとえば図３（Ｂ）に示すように、開口部４の内側に折り畳んで格納していたデフレクタ部材１１を開いて立てる最中に、メッシュ素材によるデフレクタ部材１１についての上下方向の中央部分が、風圧により後へ撓んで湾曲する。これにより、デフレクタ部材１１に吹き込んだ風は、風圧により撓んで湾曲した部分に集中する。湾曲した部分からは、後へ、強い風が吹き出すことになる。この強められた風が、開いた開口部４の後縁や、天井部分の外側に後退させたサンルーフ部材５の前縁に当たると、風切音が発生する。
同様に、デフレクタ部材１１を図２（Ｃ）のように立ち上げた後であっても、走行中の風圧の変化などにより、メッシュ素材によるデフレクタ部材１１が撓んで湾曲する可能性がある。この場合にも、湾曲した部分から後へ吹き出される風が強くなり、この強められた風が、開いた開口部４の後縁や、天井部分の外側に後退させたサンルーフ部材５の前縁に当たることにより、風切音が発生する可能性がある。
【００２７】
このように自動車１などの車両では、自動車１の前後方向に沿って開口する開口部４の前縁に沿って設けられるデフレクタ装置１０において、メッシュ素材によるデフレクタ部材１１を採用した場合において固有に発生する風切音を抑制することが求められている。
【００２８】
図４は、第１実施形態に係るデフレクタ部材１１の説明図である。
図４（Ａ）において、開口の前縁に沿って長尺の長方形形状のデフレクタ部材１１は、全体が可撓性のメッシュ素材により形成される。そして、天井部分の開口部４の内外方向、すなわち上下方向において、上部、中部、下部の三段に分けて異なる密度に形成される。具体的には、上部および下部が、低い密度のメッシュ素材により形成されるとともに、中部が、それらより高い密度のメッシュ素材により形成される。高い密度のメッシュ素材により形成された中部は、相対的に空気が通り難い低通気部１５として機能する。低通気部１５としての中部は、開口部４の前縁に沿って延在するように、デフレクタ部材１１の長尺方向の全幅に形成される。
【００２９】
このようにデフレクタ部材１１の中部を低通気部１５として形成することにより、図４（Ｂ）に示すように、風圧によりデフレクタ部材１１が撓み、デフレクタ部材１１の略中部が湾曲による最後端部分となるように湾曲したとしても、その中部から後側へ風が吹き抜け難くなる。その結果、デフレクタ部材１１に吹き込んだ風は、湾曲した中部に集中し難くなり、デフレクタ部材１１の上部、中部および下部から後側へ流れ出るようになる。風圧により撓んで湾曲した中部から後へ強い風が吹き出してしまうことが、起き難くなる。湾曲した中部から後へ流れ出る風は図３（Ｂ）の場合と比べて弱まる。
【００３０】
なお、図４（Ｂ）では、デフレクタ部材１１は、その中部が最後端部分となるように湾曲している。この他にもたとえば、デフレクタ部材１１のサイズ、形状、取り付け方などによっては、デフレクタ部材１１が中部から上下にずれた位置において湾曲する可能性もある。この場合には、その湾曲する部分を、高い密度のメッシュ素材により形成して低通気部１５として機能させればよい。ただし、一般的には、デフレクタ部材１１の中部が、湾曲する部分になると考えられる。いずれの場合でも、デフレクタ部材１１に吹き込んだ風が、湾曲する部分に集中しようとしても、湾曲した部分から後ろへ流れ出る風を弱めることができる。
【００３１】
以上のように、本実施形態では、デフレクタ部材１１についての開口部４から外上へ突出する外縁部が、開口部４から外上へ突出する第一支持部材１２に取り付けられるとともに、開口部４の内側に収まる内縁部が、開口部４の内側において開口部４の前縁に取り付けられる。したがって、デフレクタ部材１１は、テンションが作用した状態で、開いた開口部４から、開口部４の前縁に沿って延在するように外上へ突出するように張られる。開いた開口部４の後縁や、その開口部４を開くために後退したサンルーフ部材５の前縁などに対して、走行中の風が強く当たらないようになる。走行中にこれらの部分に強い風が当たることにより生じる風切音を効果的に抑制できる。
また、デフレクタ部材１１は、可撓性のメッシュ素材を用いて形成されているので、開口部４が閉じている場合には、第一支持部材１２および第二支持部材１３とともに車体３の開口部４に格納できる。
しかも、図４（Ａ）に示すように、デフレクタ部材１１についての、風圧により後へ撓んで湾曲する部分には、メッシュ素材より通気性が低い低通気部１５が形成される。よって、デフレクタ部材１１は、開口部４から外へ突出した状態において上縁部が第一支持部材１２に取り付けられているだけであるにもかかわらず、風圧により後へ撓んで湾曲したとしても、デフレクタ部材１１に当たる風が湾曲部分から集中的に吹き出すようにならない。
これに対して、図３（Ａ）に示すように、デフレクタ部材１１についての、風圧により後へ撓んで湾曲する部分がその他の部分と同様のメッシュ素材である場合には、風圧により後へ撓んで湾曲した状態において、その湾曲部分から後へ、デフレクタ部材１１に当たった風が集中的に吹き出してしまう。その結果、開いた開口部４の後縁や、その開口部４を開くために後退したサンルーフ部材５の前縁などに対して、集中的に吹き出した強い風が当たり、風切音が発生してしまうことがある。本発明では、このような風切音の発生を効果的に抑制できる。
【００３２】
本実施形態では、図４（Ｂ）に示すように、低通気部１５は、自動車１の走行中に、閉じていたデフレクタ部材１１を開く最中において、風圧により後へ撓んで湾曲して形成される最後端部分において、開口部４の前縁に沿って延在するように形成される。よって、デフレクタ部材１１を開く最中において、風圧により後へ撓んで湾曲して形成される最後端部分から、集中した風が吹き出し難くなる。デフレクタ部材１１を開く最中での風切音の発生を効果的に抑制できる。
【００３３】
本実施形態では、低通気部１５は、デフレクタ部材１１についての内外方向（上下方向）の中央部分において、開口部４の前縁に沿って延在するように形成される。よって、風圧により後へ撓んだ際に湾曲し易い、デフレクタ部材１１についての内外方向（上下方向）の中央部分から、集中した風が吹き出し難くなる。デフレクタ部材１１を開く際だけでなく、通常の走行中においても風切音の発生を効果的に抑制できる。
【００３４】
本実施形態では、低通気部１５は、デフレクタ部材１１に用いるメッシュ素材より高密度のメッシュ状態に形成される。
これに対し、低通気部１５は、デフレクタ部材１１に用いるメッシュ素材に樹脂材料を塗布して固めて形成することもできる。この場合、低通気部１５での通気が無くなるので、低通気部１５に当たった風は上下へ逃げて流れるようになる。この場合、風切音が発生する可能性がある。本実施形態では、低通気部１５においても通気性を確保しているので、このような風切音の発生を効果的に抑制できる。
【００３５】
本実施形態では、開口部４は、自動車１の車室２の天井部分に形成され、開口部４を閉じるサンルーフ部材５は、天井部分の外上側に後退する。このようにサンルーフ部材５を天井部分の外上側に後退させたとしても、本実施形態の低通気部１５が形成されたデフレクタ部材１１を併用することにより、天井部分の外側に位置するサンルーフ部材５の前縁に、デフレクタ部材１１において集中された強い風が当たることが起き難くなる。風切音を効果的に抑制できる。
【００３６】
［第２実施形態］
次に、本発明の第２実施形態に係るデフレクタ装置１０を説明する。以下の説明では、主に第１実施形態との相違点について説明し、第１実施形態と共通性を有する構成については同一の符号を付してその説明を省略する。
【００３７】
図５は、第２実施形態に係るデフレクタ部材１１の説明図である。
図５のデフレクタ部材１１では、中部に樹脂材料が塗布されている。これにより、デフレクタ部材１１の中部は、通気しなくなり、上部および下部と比べて低い通気性能に形成される。
【００３８】
このようにデフレクタ部材１１の中部を低通気部１５として形成することにより、風圧によりデフレクタ部材１１が撓み、デフレクタ部材１１の略中部が湾曲による最後端部分となるように湾曲したとしても、その中部から後側へ風が吹き抜けなくなる。その結果、デフレクタ部材１１に吹き込んだ風は、そのままデフレクタ部材１１の上部および下部から後側へ流れるようになる。風圧により撓んで湾曲した中部から後へ、強い風が吹き出されなくなる。開いた開口部４の後縁や、その開口部４を開くために後退したサンルーフ部材５の前縁などに対して、デフレクタ部材１１の中部において集中化された強い風が当たり難くなる。風切音は発生し難くなる。
【００３９】
ただし、第１実施形態のようにデフレクタ部材１１の中部においても通気が可能である場合と比べて、本実施形態では、デフレクタ部材１１の中部が通気しないように形成されている。よって、中部から後へ吹き出そうとする風をなくすことができるが、それが上部や下部から噴き出すことになる。開口部４から車室２へ流れ込む風量が若干増えてしまう可能性がある。
【００４０】
［第３実施形態］
次に、本発明の第３実施形態に係るデフレクタ装置１０を説明する。以下の説明では、主に第１実施形態との相違点について説明し、第１実施形態と共通性を有する構成については同一の符号を付してその説明を省略する。
【００４１】
図６は、第３実施形態に係るデフレクタ部材１１の説明図である。
図６では、低通気部１５は、デフレクタ部材１１の中部において、デフレクタ部材１１の幅方向の中央部分のみに形成される。低通気部１５は、開口部４の前縁に沿って延在するように長尺形状に形成されたデフレクタ部材１１において、長尺方向の両端部分以外に形成される。
【００４２】
このようにデフレクタ部材１１の中部の中央部分を低通気部１５として形成することにより、風圧によりデフレクタ部材１１が撓み、デフレクタ部材１１の略中部が湾曲による最後端部分となるように湾曲したとしても、その中部から後側へ風が吹き抜け難くなる。その結果、デフレクタ部材１１に吹き込んだ風は、風圧により撓んで湾曲した中部から後へ、強い風として吹き出され難くなる。開いた開口部４の後縁や、その開口部４を開くために後退したサンルーフ部材５の前縁などに対して、集中的に吹き出した風が強く当たり、風切音が発生してしまうことが起き難くなる。
【００４３】
しかも、低通気部１５は、長尺なデフレクタ部材１１において両端部分以外に形成される。
長尺なデフレクタ部材１１の両端部には、左右の第一支持部材１２、左右の第二支持部材１３、左右の付勢部材１４、が配置される。
よって、メッシュ構造を基本とするデフレクタ部材１１において両端部分を低通気部１５として形成した場合、開口部４に収容した状態において低通気部１５が第一支持部材１２などと干渉してしまう可能性がある。たとえば折りたたんだ低通気部１５が第一支持部材１２と第二支持部材１３との間に挟まり、低通気部１５を傷めてしまう可能性がある。
本実施形態では、低通気部１５がデフレクタ部材１１についての両端部分以外に形成されているので、低通気部１５の損傷を抑制できる。閉じた開口部４に、第一支持部材１２および第二支持部材１３とともに、低通気部１５を有する可撓性のデフレクタ部材１１を傷めないように収容できる。
【００４４】
［第４実施形態］
次に、本発明の第４実施形態に係るデフレクタ装置１０を説明する。以下の説明では、主に第１実施形態との相違点について説明し、第１実施形態と共通性を有する構成については同一の符号を付してその説明を省略する。
【００４５】
図７は、第４実施形態に係るデフレクタ部材１１の説明図である。
図７（Ａ）のデフレクタ部材１１では、低通気部１５が、中部および下部に形成される。低通気部１５は、デフレクタ部材１１についての内外方向（上下方向）の中央部分から、デフレクタ部材１１の内側部分（下部）にかけて、開口部４の前縁に沿って延在するように全体的に形成される。
【００４６】
このようにデフレクタ部材１１の中部から下部までの全体を低通気部１５として形成することにより、図７（Ｂ）に示すように、風圧によりデフレクタ部材１１が撓み、デフレクタ部材１１の略中部が湾曲による最後端部分となるように湾曲したとしても、その中部から後側へ風が吹き抜け難くなる。その結果、デフレクタ部材１１に吹き込んだ風は、デフレクタ部材１１の上部、中部および下部から分けて後側へ流れるようになる。風圧により撓んで湾曲した中部から後へ強い風が吹き出すことが、起き難くなる。
特に、デフレクタ部材１１の中部から下部へ向けて吹き込んだ風の一部は、低通気部１５として形成された中部および下部を通過し難いため、上へ逃げるように流れる。その結果、デフレクタ部材１１の上部または上縁の上から後側へ流れようとする風の量が増える。デフレクタ部材１１に吹き込んだ風は、全体的には上へ逃げるようにしてデフレクタ部材１１の後側へ流れる。
デフレクタ部材１１についての中部に向けて、若干集中した風が吹き込むとしても、この向きを外向き（上向き）に傾けて逃がすことができる。その結果、通常の走行中における風切音の抑制効果を、より一層高めることを期待できる。
【００４７】
以上の実施形態は、本発明の好適な実施形態の例であるが、本発明は、これに限られることはなく、発明の要旨を逸脱しない範囲において種々の変形または変更が可能である。
【００４８】
たとえば上記実施形態では、長尺の長方形形状のデフレクタ部材１１は、その上角部分において左右の第一支持部材１２に取り付けられる。
このほかにもたとえば、左右の第一支持部材１２をロッドで連結し、長尺の長方形形状のデフレクタ部材１１の上縁を全体的に、左右の第一支持部材１２およびロッドに取り付けるようにしてもよい。この場合でも、メッシュ構造により可撓性を有するように形成されたデフレクタ部材１１は、風圧により撓んで湾曲する可能性がある。このような場合に、本発明は好適に適用することができる。
【００４９】
上記実施形態では基本的に内燃機関を走行の動力源として使用する自動車を想定しているが、本発明は、モータによる電気的な動力源を使用または併用する自動車においても適用可能である。特に、バッテリの蓄電電力を利用して走行する電気自動車では、バッテリの蓄電電力を効率よく且つ無駄を抑えて利用することが求められる。本発明は、風切音の抑制だけでなく、開口部４を開いた状態での走行中の空力を改善できるので、開口部４を有する電気自動車においても好適に利用することができる。
【符号の説明】
【００５０】
１…自動車（車両）、２…車室、３…車体、４…開口部、５…サンルーフ部材、１０…デフレクタ装置、１１…デフレクタ部材、１２…第一支持部材、１３…第二支持部材、１４…付勢部材、１５…低通気部
【図１】
2019119335.tif 000003
【図２】
2019119335.tif 000004
【図３】
2019119335.tif 000005
【図４】
2019119335.tif 000006
【図５】
2019119335.tif 000007
【図６】
2019119335.tif 000008
【図７】
2019119335.tif 000009